(57)【要約】【課題】電力検出手段の検出結果が誤っている場合に、当該検出結果が誤っていることを認識することができる電力供給システムを提供する。【解決手段】複数の発電手段と、複数の発電手段よりも上流側に配置されて電力を検出する第一センサ部２０と、分電盤２よりも上流側であって、複数の発電手段よりも下流側に配置されて電力を検出する第二センサ部３０と、複数の発電手段で発電された電力をそれぞれ検出する第三センサ部４０及び第四センサ部５０と、第一、第二及び第三電力検出手段の検出結果を取得可能であって、第二電力検出手段の検出結果が誤っているかを判断する蓄電装置４と、を具備する電力供給システムであって、蓄電装置４は、第一センサ部２０の検出結果と第三センサ部４０及び第四センサ部５０の検出結果とを合計した電力と、第二センサ部３０の検出結果の電力と、が異なる場合に、第二センサ部３０の検出結果が誤っていると判断する。【選択図】図３
2015100212.tif 000002
【特許請求の範囲】
【請求項１】
商用電源と接続される分電盤と、
前記分電盤よりも上流側に配置され、発電した電力を当該分電盤に供給する複数の発電手段と、
前記複数の発電手段よりも上流側に配置されて電力を検出する第一電力検出手段と、
前記分電盤よりも上流側であって、前記複数の発電手段よりも下流側に配置されて電力を検出する第二電力検出手段と、
前記複数の発電手段で発電された電力をそれぞれ検出する第三電力検出手段と、
前記第一、第二及び第三電力検出手段の検出結果を取得可能であって、当該第二電力検出手段の検出結果が誤っているかを判断する誤検出判断手段と、
を具備する電力供給システムであって、
前記誤検出判断手段は、
前記第一電力検出手段の検出結果と前記第三電力検出手段の検出結果とを合計した電力と、前記第二電力検出手段の検出結果の電力と、が異なる場合に、当該第二電力検出手段の検出結果が誤っていると判断する、
ことを特徴とする電力供給システム。
【請求項２】
前記分電盤よりも下流側に配置され、前記第二電力検出手段の検出結果に応じて、放電した電力を当該分電盤に供給する蓄電装置を具備し、
前記第二電力検出手段の検出結果が誤っていると判断した場合に、前記蓄電装置の放電を停止させる、
ことを特徴とする請求項１に記載の電力供給システム。
【請求項３】
前記商用電源と前記分電盤とは、単相三線式の主幹経路を介して接続され、
前記複数の発電部は、前記主幹経路の一対の片相にそれぞれ接続される一対の電路に、発電した電力を平均的に流通させ、
前記第三電力検出手段は、前記一対の電路のいずれか一方の電路だけに配置されて電力を検出する検出具により構成される、
ことを特徴とする請求項１又は請求項２に記載の電力供給システム。
【請求項４】
前記複数の発電手段には、他の発電手段よりも上流側に配置され、自然エネルギーを利用して発電可能な発電部が含まれ、
前記第一電力検出手段は、前記商用電源への逆潮流を検出すると前記蓄電装置の放電を停止させるための接点信号を前記蓄電装置に出力可能であり、
前記発電部が発電している場合には、前記蓄電装置に出力された接点信号が無効であると設定し、
前記発電部が発電していない場合には、前記蓄電装置に出力された接点信号が有効であると設定する、
ことを特徴とする請求項１から請求項３のいずれか一項に記載の電力供給システム。
【発明の詳細な説明】
【技術分野】
【０００１】
本発明は、電力供給システムの技術に関する。
【背景技術】
【０００２】
従来、電力を発電する複数の発電手段と、当該複数の発電手段で発電された電力をそれぞれ検出する電力検出手段と、を具備する電力供給システムの技術は公知となっている。例えば、特許文献１に記載の如くである。
【０００３】
特許文献１に記載の技術（給電システム）においては、商用電源の他、太陽光発電装置や燃料電池等の複数の発電手段と、当該複数の発電手段で発電された電力をそれぞれ検出する電力検出手段（制御装置）と、を具備している。
【０００４】
このような構成により、特許文献１に記載の技術（給電システム）においては、商用電源からの電力や複数の発電手段で発電された電力を、電力検出手段による検出結果に応じた所定の制御方法により複数の機器に供給することができる。
【０００５】
しかしながら、特許文献１に記載の技術（給電システム）においては、電力検出手段による検出結果は正しいことが前提となっている。すなわち、当該検出結果が誤っている場合には、商用電源からの電力や複数の発電手段で発電された電力が、意図する制御方法とは異なる方法で複数の機器に供給することとなり問題である。
【先行技術文献】
【特許文献】
【０００６】
【特許文献１】特開２０１３−１８３６０８号公報
【発明の概要】
【発明が解決しようとする課題】
【０００７】
本発明は以上の如き状況に鑑みてなされたものであり、その解決しようとする課題は、電力検出手段の検出結果が誤っている場合に、当該検出結果が誤っていることを認識することができる電力供給システムを提供することがである。
【課題を解決するための手段】
【０００８】
本発明の解決しようとする課題は以上の如くであり、次にこの課題を解決するための手段を説明する。
【０００９】
即ち、請求項１においては、商用電源と接続される分電盤と、前記分電盤よりも上流側に配置され、発電した電力を当該分電盤に供給する複数の発電手段と、前記複数の発電手段よりも上流側に配置されて電力を検出する第一電力検出手段と、前記分電盤よりも上流側であって、前記複数の発電手段よりも下流側に配置されて電力を検出する第二電力検出手段と、前記複数の発電手段で発電された電力をそれぞれ検出する第三電力検出手段と、前記第一、第二及び第三電力検出手段の検出結果を取得可能であって、当該第二電力検出手段の検出結果が誤っているかを判断する誤検出判断手段と、を具備する電力供給システムであって、前記誤検出判断手段は、前記第一電力検出手段の検出結果と前記第三電力検出手段の検出結果とを合計した電力と、前記第二電力検出手段の検出結果の電力と、が異なる場合に、当該第二電力検出手段の検出結果が誤っていると判断するものである。
【００１０】
請求項２においては、前記分電盤よりも下流側に配置され、前記第二電力検出手段の検出結果に応じて、放電した電力を当該分電盤に供給する蓄電装置を具備し、前記第二電力検出手段の検出結果が誤っていると判断した場合に、前記蓄電装置の放電を停止させるものである。
【００１１】
請求項３においては、前記商用電源と前記分電盤とは、単相三線式の主幹経路を介して接続され、前記複数の発電部は、前記主幹経路の一対の片相にそれぞれ接続される一対の電路に、発電した電力を平均的に流通させ、前記第三電力検出手段は、前記一対の電路のいずれか一方の電路だけに配置されて電力を検出する検出具により構成されるものである。
【００１２】
請求項４においては、前記複数の発電手段には、他の発電手段よりも上流側に配置され、自然エネルギーを利用して発電可能な発電部が含まれ、前記第一電力検出手段は、前記商用電源への逆潮流を検出すると前記蓄電装置の放電を停止させるための接点信号を前記蓄電装置に出力可能であり、前記発電部が発電している場合には、前記蓄電装置に出力された接点信号が無効であると設定し、前記発電部が発電していない場合には、前記蓄電装置に出力された接点信号が有効であると設定するものである。
【発明の効果】
【００１３】
本発明の効果として、以下に示すような効果を奏する。
【００１４】
請求項１においては、電力検出手段の検出結果が誤っている場合に、当該検出結果が誤っていることを認識することができる。
【００１５】
請求項２においては、意図しない場合に蓄電装置が放電することを防止することができる。
【００１６】
請求項３においては、検出具の数量を減少させ、コストの削減を図ることができる。
【００１７】
請求項４においては、意図しない場合に蓄電装置が放電することを、より確実に防止することができる。
【図面の簡単な説明】
【００１８】
【図１】本発明の一実施形態に係る電力供給システムの構成を示したブロック図。
【図２】同じく、第二センサ部が正しく接続された状況を示した第一の例を示したブロック図。
【図３】同じく、第二センサ部が誤って接続された状況を示した第二の例を示したブロック図。
【図４】従来の技術に係る電力供給システムの構成を示したブロック図。
【図５】（ａ）第二センサ部が正しく接続された状況を示した模式図。（ｂ）第二センサ部が誤って接続された状況を示した模式図。
【発明を実施するための形態】
【００１９】
以下では、図１を用いて、本発明に係る「電力供給システム」の一実施形態である電力供給システム１の構成について説明する。
【００２０】
電力供給システム１は、商用電源１００や太陽光発電部８等からの電力を負荷へと供給するものである。本実施形態において、電力供給システム１は、住宅に設けられる。そして、商用電源１００から住宅内に引き込まれる電力は、単相三線式の配電方式により分電盤２に供給される。電力供給システム１は、図１に示すように、主として、分電盤２、第一電力経路３、蓄電装置４、第二電力経路５、燃料電池６、第三電力経路７、太陽光発電部８、第四電力経路９、電力情報取得手段１０を具備する。
【００２１】
分電盤２は、図示せぬ漏電遮断器や、配線遮断器、制御ユニット等をまとめたものである。分電盤２は、当該分電盤２に供給された電力を、負荷に分配（供給）するものである。分電盤２は、電力の供給元として、商用電源１００と、太陽光発電部８と、燃料電池６と、蓄電装置４と、に接続される。また、分電盤２は、電力の供給（分配）先として、負荷に接続される。
【００２２】
なお、負荷とは、住宅内で電力が消費される電化製品等が接続される回路である。負荷は、例えば部屋ごとや、大きな電力を消費する機器専用のコンセントごとに設けられる。本実施形態においては、負荷の一例として、第一負荷１１０と、第二負荷１２０と、が設けられる。
【００２３】
第一電力経路３は、電力が流通可能な経路である。第一電力経路３は、導線等で構成される。第一電力経路３は、一側が商用電源１００に接続され、中途部が分電盤２に接続される。このように、商用電源１００と分電盤２とは、第一電力経路３を介して電力が流通可能に構成される。
なお、第一電力経路３の構成についての詳細な説明は後述する。
【００２４】
蓄電装置４は、電力を充放電可能な装置である。蓄電装置４は、図示せぬリチウムイオン電池や、パワーコンディショナ、制御部等により構成される。蓄電装置４は、放電した電力を分電盤２に供給することができる。蓄電装置４は、商用電源１００と連系動作可能（系統連係可能）に構成される。蓄電装置４は、後述する電力情報取得手段１０からの電力に関する情報により、放電する電力を適宜変更する負荷追従運転可能に構成される。また、蓄電装置４は、後述する接点信号が入力された場合には、運転（充放電）を停止するように設定される。
【００２５】
蓄電装置４の制御部は、前記リチウムイオン電池等を制御し、ひいては蓄電装置４の充放電を制御するものである。蓄電装置４の制御部は、主として、ＣＰＵ等の演算処理装置、ＲＡＭやＲＯＭ等の記憶装置、Ｉ／Ｏ等の入出力装置等により構成される。蓄電装置４の制御部は、当該蓄電装置４に内蔵される。
【００２６】
第二電力経路５は、電力が流通可能な経路である。第二電力経路５は、導線等で構成される。第一電力経路３は、一側が第一電力経路３を介して分電盤２に接続され、他側が蓄電装置４に接続される。このように、分電盤２と蓄電装置４とは、第一電力経路３及び第二電力経路５を介して電力が流通可能に構成される。
なお、第二電力経路５の構成についての詳細な説明は後述する。
【００２７】
燃料電池６は、水素等の燃料を用いて発電する装置である。燃料電池６は、分電盤２よりも上流側に配置され、発電した電力を当該分電盤２に供給することができる。燃料電池６は、制御部等により構成される。燃料電池６は図示せぬ貯湯ユニットを具備し、発電時に発生する熱を用いて当該貯湯ユニット内で湯を沸かすことができる。なお、本実施形態において、燃料電池６は、最大発電電力が７００Ｗに設定される。また、燃料電池６、負荷の消費電力に応じて、発電する電力を適宜変更する負荷追従運転可能に構成される。
【００２８】
第三電力経路７は、電力が流通可能な経路である。第三電力経路７は、導線等で構成される。第三電力経路７は、一側が第一電力経路３を介して分電盤２に接続され、他側が燃料電池６に接続される。このように、分電盤２と燃料電池６とは、第一電力経路３及び第三電力経路７を介して電力が流通可能に構成される。
なお、第三電力経路７の構成についての詳細な説明は後述する。
【００２９】
太陽光発電部８は、太陽光を利用して発電する装置である。太陽光発電部８は、分電盤２よりも上流側に配置され、発電した電力を当該分電盤２に供給することができる。太陽光発電部８は、図示せぬ太陽電池パネル等により構成される。太陽光発電部８は、住宅の屋根の上等の日当たりの良い場所に設置される。太陽光発電部８は、発電した電力を出力することができる。また、太陽光発電部８で発電した電力は、商用電源１００に逆潮流させて売電することができる。
【００３０】
第四電力経路９は、電力が流通可能な経路である。第四電力経路９は、導線等で構成される。第四電力経路９は、一側が第一電力経路３を介して商用電源１００及び分電盤２に接続され、他側が太陽光発電部８に接続される。このように、商用電源１００及び分電盤２と太陽光発電部８とは、第一電力経路３及び第四電力経路９を介して電力が流通可能に構成される。
なお、第四電力経路９の構成についての詳細な説明は後述する。
【００３１】
電力情報取得手段１０は、電力供給システム１内の電力に関する情報を取得するものである。電力情報取得手段１０は、複数のセンサ部により構成される。具体的には、電力情報取得手段１０は、第一センサ部２０と、第二センサ部３０と、第三センサ部４０と、第四センサ部５０と、により構成される。
【００３２】
第一センサ部２０は、第一電力経路３において、商用電源１００と太陽光発電部８（より詳細には、第一電力経路３と第四電力経路９との接続部）との間に設置される。第一センサ部２０は、当該設置箇所の電力に関する情報を取得する。第一センサ部２０は、蓄電装置４（より詳細には、制御部）に接続され、取得した情報を蓄電装置４に出力する。
【００３３】
第二センサ部３０は、第一電力経路３において、燃料電池６（より詳細には、第一電力経路３と第三電力経路７との接続部）と分電盤２との間に設置される。第二センサ部３０は、当該設置箇所の電力に関する情報を取得する。第二センサ部３０は、蓄電装置４（より詳細には、制御部）に接続され、取得した情報を蓄電装置４に出力する。
【００３４】
第三センサ部４０は、第三電力経路７に設置される。第三センサ部４０は、当該設置箇所の電力に関する情報を取得する。第三センサ部４０は、蓄電装置４（より詳細には、制御部）に接続され、取得した情報を蓄電装置４に出力する。
【００３５】
第四センサ部５０は、第四電力経路９に設置される。第四センサ部５０は、当該設置箇所の電力に関する情報を取得する。第四センサ部５０は、蓄電装置４（より詳細には、制御部）に接続され、取得した情報を蓄電装置４に出力する。
【００３６】
こうして、電力情報取得手段１０からの情報により、蓄電装置４は各センサ部の設置箇所の電力に関する情報を取得することができる。
なお、電力情報取得手段１０（各センサ部）の構成についての詳細な説明は後述する。
【００３７】
以下では、電力供給システム１における電力の供給態様について簡単に説明する。
【００３８】
なお、分電盤２や、蓄電装置４、燃料電池６、太陽光発電部８、電力情報取得手段１０等は、それぞれ図示せぬ制御装置に接続される。そして、前記制御装置において、電力供給システム１内の各種の情報が管理されると共に、各機器の制御が行われる。なお、前記制御装置としては、図示せぬホームサーバ等の制御手段や、スイッチ部、パワーコンディショナが有する制御部等が想定されるが、本発明はこれを限定するものではない。
【００３９】
商用電源１００からの電力は、第一電力経路３を介して分電盤２に供給される。また、太陽光発電部８で発電された電力は、第一電力経路３を介して分電盤２に供給される。また、燃料電池６で発電された電力は、第一電力経路３を介して分電盤２に供給される。そして、分電盤２に供給された電力は、当該分電盤２により負荷に分配される。こうして、住宅の居住者は、照明を点灯させたり、調理器具やエアコンを使用したりすることができる。
【００４０】
このように、電力供給システム１では、分電盤２で負荷に分配される電力（負荷の消費電力）を、商用電源１００からの電力だけでなく、太陽光発電部８で発電された電力や、燃料電池６で発電された電力を用いてまかなうことができる。これにより、商用電源１００から分電盤２に供給される電力（買電）を減らし、電力料金を節約することができる。
【００４１】
また、負荷の消費電力が燃料電池６で発電された電力だけでまかなえ、且つ太陽光発電部８で発電された電力に余剰した電力（余剰電力）が生じる場合には、当該余剰電力を商用電源１００に逆潮流させて売電することができる。これにより、電力料金を節約することができると共に、経済的な利益を得ることができる。
【００４２】
また、太陽光発電部８で発電された電力等と同様に、蓄電装置４から放電された電力を分電盤２に供給することもできる。また、商用電源１００からの電力等を、分電盤２を介して蓄電装置４に供給し、当該蓄電装置４に充電させることもできる。
【００４３】
なお、本実施形態において、分電盤２に供給される電力として、燃料電池６で発電された電力が、他の電力（すなわち、商用電源１００からの電力や、太陽光発電部８で発電された電力、蓄電装置４から放電された電力）に優先して用いられるように設定される。
【００４４】
以下では、電力供給システム１における電力の供給態様のうち、蓄電装置４から電力を放電させる場合における電力の供給態様について、詳細に説明する。
【００４５】
先ず、燃料電池６で発電された電力が、他の電力に優先して分電盤２に供給される。そして、燃料電池６から供給された電力だけで負荷の消費電力がまかなえない場合（すなわち、負荷の消費電力が燃料電池６の最大発電電力（７００Ｗ）以上である場合）に、不足する電力（不足電力）が生じる。そして、当該不足電力を補うための電力が、蓄電装置４から放電されて分電盤２に供給される。
【００４６】
具体的には、前述したように不足電力が生じた場合、蓄電装置４は、電力情報取得手段１０（より詳細には、第一センサ部２０及び第二センサ部３０）からの電力に関する情報により、商用電源１００からの電力が分電盤２に供給されていると認識する。そして、蓄電装置４は、電力情報取得手段１０（より詳細には、第二センサ部３０）からの電力に関する情報に基づいて、前記不足電力に相当する電力を放電する。そして、蓄電装置４から放電された電力は、分電盤２に供給され、当該分電盤２により負荷に分配される。なお、燃料電池６で発電された電力及び蓄電装置４から放電された電力だけでは負荷の消費電力をまかなえない場合は、さらに商用電源１００からの電力が分電盤２に供給される。
【００４７】
なお、燃料電池６で発電された電力や蓄電装置４から放電された電力は、商用電源１００に逆潮流しないように設定される。
【００４８】
以下では、第一電力経路３、第二電力経路５、第三電力経路７及び第四電力経路９の構成について、図１を用いて詳細に説明する。
【００４９】
前述したように、本実施形態において、商用電源１００から住宅内に引き込まれる電力は、単相三線式の配電方式により分電盤２に供給される。そして、商用電源１００に接続される第一電力経路３は、中性相３ｃと、一対の電圧相（Ｌ１相３ａ及びＬ２相３ｂ）と、により構成される。
【００５０】
また、第二電力経路５は、第二電路５ａと、第二電路５ｂと、第二電路５ｃと、により構成される。第二電路５ａは、一端側が第一電力経路３のＬ１相３ａに接続され、他端側が蓄電装置４に接続される。また、第二電路５ｂは、一端側が第一電力経路３のＬ２相３ｂに接続され、他端側が蓄電装置４に接続される。また、第二電路５ｃは、一端側が第一電力経路３の中性相３ｃに接続され、他端側が蓄電装置４に接続される。
【００５１】
こうして、蓄電装置４が負荷追従運転を行う場合には、第二センサ部３０（より詳細には、後述するＬ１相第二センサ３１及びＬ２相第二センサ３２）からの電力に関する情報に基づいて、放電する電力を第二電路５ａ及び第二電路５ｂごとに変更させることができる。より詳細には、蓄電装置４は、第二電路５ａ及び第二電路５ｂにそれぞれの必要に応じた電力を流通させ、当該第二電路５ａ及び第二電路５ｂと、Ｌ１相３ａ及びＬ２相３ｂと、を介して分電盤２に供給することができる。このように、蓄電装置４は、第二センサ部３０からの電力に関する情報に基づいて、高精度の負荷追従運転を行うことができる。
【００５２】
また、第三電力経路７は、第三電路７ａと、第三電路７ｂと、により構成される。第三電路７ａは、一端側が第一電力経路３のＬ１相３ａに接続され、他端側が燃料電池６に接続される。また、第三電路７ｂは、一端側が第一電力経路３のＬ２相３ｂに接続され、他端側が燃料電池６に接続される。
【００５３】
こうして、燃料電池６が発電した場合には、発電した電力が第二電路５ａ及び第二電路５ｂに平均して流通される。例えば、燃料電池６が最大発電電力（７００Ｗ）を発電した場合には、第二電路５ａ及び第二電路５ｂにそれぞれ３５０Ｗの電力が流通される。すなわち、燃料電池６が最大発電電力（７００Ｗ）を発電した場合には、第二電路５ａ及び第二電路５ｂを介して、Ｌ１相３ａ及びＬ２相３ｂにそれぞれ３５０Ｗの電力が流通される。
【００５４】
また、第四電力経路９は、第四電路９ａと、第四電路９ｂと、により構成される。第四電路９ａは、一端側が第一電力経路３のＬ１相３ａに接続され、他端側が太陽光発電部８に接続される。また、第四電路９ｂは、一端側が第一電力経路３のＬ２相３ｂに接続され、他端側が太陽光発電部８に接続される。
【００５５】
こうして、太陽光発電部８が発電した場合には、発電した電力が第四電路９ａ及び第四電路９ｂに平均して流通される。例えば、太陽光発電部８が２０００Ｗの電力を発電した場合には、第四電路９ａ及び第四電路９ｂにそれぞれ１０００Ｗの電力が流通される。すなわち、太陽光発電部８が２０００Ｗの電力を発電した場合には、第四電路９ａ及び第四電路９ｂを介して、Ｌ１相３ａ及びＬ２相３ｂにそれぞれ１０００Ｗの電力が流通される。
【００５６】
以下では、電力情報取得手段１０（各センサ部）の構成についての詳細な説明を行う前に、当該電力情報取得手段１０（各センサ部）の構成をより明確とするため、従来の技術に係る電力情報取得手段の構成、及び当該構成から生じる問題点について、図４及び図５を用いて説明する。
【００５７】
先ず、従来の技術に係る電力情報取得手段（以下では、「電力情報取得手段９１０」と称する。）、及び当該電力情報取得手段９１０を具備する電力供給システム（以下では、「電力供給システム９０１」と称する。）の構成について、図４を用いて説明する。
【００５８】
図４は、電力供給システム９０１の構成を示したブロック図である。なお、電力供給システム９０１において、電力供給システム１と異なる点は電力情報取得手段９１０の構成だけであるとし、他の構成の説明は適宜省略する。図４に示すように、電力情報取得手段９１０は、第一センサ部９２０と、第二センサ部９３０と、第三センサ部９４０と、により構成される。
【００５９】
第一センサ部９２０は、第一電力経路３において、商用電源１００と太陽光発電部８（より詳細には、第一電力経路３と第四電力経路９との接続部）との間に設置される。第一センサ部９２０は、Ｌ１相第一センサ９２１と、Ｌ２相第一センサ９２２と、により構成される。Ｌ１相第一センサ９２１は、第一電力経路３のＬ１相３ａに設置される。Ｌ２相第一センサ９２２は、第一電力経路３のＬ２相３ｂに設置される。こうして、Ｌ１相第一センサ９２１は、Ｌ１相３ａにおいて当該Ｌ１相第一センサ９２１の設置箇所の電力に関する情報を取得する。また、Ｌ２相第一センサ９２２は、Ｌ２相３ｂにおいて当該Ｌ２相第一センサ９２２の設置箇所の電力に関する情報を取得する。第一センサ部９２０は、蓄電装置４（より詳細には、制御部）に接続され、Ｌ１相第一センサ９２１及びＬ２相第一センサ９２２によって取得した情報を蓄電装置４に出力する。
【００６０】
第二センサ部９３０は、第一電力経路３において、燃料電池６（より詳細には、第一電力経路３と第三電力経路７との接続部）と分電盤２との間に設置される。第二センサ部９３０は、Ｌ１相第二センサ９３１と、Ｌ２相第二センサ９３２と、により構成される。Ｌ１相第二センサ９３１は、第一電力経路３のＬ１相３ａに設置される。Ｌ２相第二センサ９３２は、第一電力経路３のＬ２相３ｂに設置される。こうして、Ｌ１相第二センサ９３１は、Ｌ１相３ａにおいて当該Ｌ１相第二センサ９３１の設置箇所の電力に関する情報を取得する。また、Ｌ２相第二センサ９３２は、Ｌ２相３ｂにおいて当該Ｌ２相第二センサ９３２の設置箇所の電力に関する情報を取得する。第二センサ部９３０は、蓄電装置４（より詳細には、制御部）に接続され、Ｌ１相第二センサ９３１及びＬ２相第二センサ９３２によって取得した情報を蓄電装置４に出力する。
【００６１】
第三センサ部９４０は、第三電力経路７に設置される。第三センサ部９４０は、Ｌ１相第三センサ９４１と、Ｌ２相第三センサ９４２と、により構成される。Ｌ１相第三センサ９４１は、第三電力経路７の第三電路７ａに設置される。Ｌ２相第三センサ９４２は、第三電力経路７の第三電路７ｂに設置される。こうして、Ｌ１相第三センサ９４１は、第三電路７ａにおいて当該Ｌ１相第三センサ９４１の設置箇所の電力に関する情報を取得する。また、Ｌ２相第三センサ９４２は、第三電路７ｂにおいて当該Ｌ２相第三センサ９４２の設置箇所の電力に関する情報を取得する。第三センサ部９４０は、蓄電装置４（より詳細には、制御部）に接続され、Ｌ１相第三センサ９４１及びＬ２相第三センサ９４２によって取得した情報を蓄電装置４に出力する。
【００６２】
このような電力供給システム９０１の構成により、蓄電装置４は、第一センサ部９２０のＬ１相第一センサ９２１からの電力に関する情報に基づいて、Ｌ１相３ａにおいて当該Ｌ１相第一センサ９２１の設置箇所の電力を認識することができる。また、蓄電装置４は、第一センサ部９２０のＬ２相第一センサ９２２からの電力に関する情報に基づいて、Ｌ２相３ｂにおいて当該Ｌ２相第一センサ９２２の設置箇所の電力を認識することができる。
【００６３】
また、蓄電装置４は、第二センサ部９３０のＬ１相第二センサ９３１からの電力に関する情報に基づいて、Ｌ１相３ａにおいて当該Ｌ１相第二センサ９３１の設置箇所の電力を認識することができる。また、蓄電装置４は、第二センサ部９３０のＬ２相第二センサ９３２からの電力に関する情報に基づいて、Ｌ２相３ｂにおいて当該Ｌ２相第二センサ９３２の設置箇所の電力を認識することができる。
【００６４】
また、蓄電装置４は、第三センサ部９４０のＬ１相第三センサ９４１からの電力に関する情報に基づいて、第三電力経路７の第三電路７ａにおいて当該Ｌ１相第三センサ９４１の設置箇所の電力を認識することができる。また、蓄電装置４は、第三センサ部９４０のＬ２相第三センサ９４２からの電力に関する情報に基づいて、第三電力経路７の第三電路７ｂにおいて当該Ｌ２相第三センサ９４２の設置箇所の電力を認識することができる。
【００６５】
こうして、例えば蓄電装置４は、第一センサ部９２０のＬ１相第一センサ９２１及びＬ２相第一センサ９２２や、第二センサ部９３０のＬ１相第二センサ３１及びＬ２相第二センサ３２、第三センサ部９４０のＬ１相第三センサ９４１及びＬ２相第三センサ９４２からの電力に関する情報に基づいて、太陽光発電部８が発電しているか否かや、負荷の消費電力に供給可能な電力（分電盤２よりも上流側から当該分電盤２に供給される電力）を認識することができる。
【００６６】
ここで、電力供給システム９０１においては、燃料電池６で発電された電力や蓄電装置４から放電された電力が商用電源１００に逆潮流することを回避する必要が有る。
【００６７】
そこで、電力供給システム９０１において、蓄電装置４は、第二センサ部９３０のＬ１相第二センサ９３１及びＬ２相第二センサ９３２により、Ｌ１相３ａ又はＬ２相３ｂのいずれか一方でも電力がマイナスの値であると認識した場合、すなわち逆潮流していると認識した場合には、当該蓄電装置４からの電力の放電を停止させる。なお、燃料電池６で発電された電力は、負荷に供給されるために分電盤２へと供給される。すなわち、電力供給システム９０１においては、燃料電池６で発電された電力や蓄電装置４から放電された電力が商用電源１００に逆潮流することを回避することができる。
【００６８】
また、電力供給システム９０１において、蓄電装置４は、第二センサ部９３０のＬ１相第二センサ９３１及びＬ２相第二センサ９３２により、Ｌ１相３ａ及びＬ２相３ｂの電力が共にプラスの値であると認識した場合、すなわち逆潮流していないと認識した場合には、蓄電装置４から電力を放電させる。すなわち、蓄電装置４は、第一センサ部９２０のＬ１相第一センサ９２１及びＬ２相第一センサ９２２と、第二センサ部９３０のＬ１相第二センサ９３１及びＬ２相第二センサ９３と、からの電力に関する情報に基づいて、負荷の消費電力に供給可能な電力を放電して分電盤２に供給することができる。
【００６９】
このように、電力供給システム９０１においては、燃料電池６で発電された電力や蓄電装置４から放電された電力が商用電源１００に逆潮流することを回避しつつ、蓄電装置４から放電した電力を、分電盤２を介して負荷に供給することができる。
【００７０】
次に、電力供給システム９０１の電力情報取得手段９１０の構成から生じる問題点について、図５を用いて説明する。
【００７１】
すなわち、電力供給システム９０１の電力情報取得手段９１０の構成においては、第二センサ部９３０が誤って接続された状況（誤配線）になった場合に、燃料電池６で発電された電力や蓄電装置４から放電された電力が商用電源１００に逆潮流して、売電が行われる可能性が有る点で問題であった。
【００７２】
ここで、図５（ａ）は、第二センサ部９３０が正しく接続された状況を示した模式図である。より詳細には、図５（ａ）に示すように、Ｌ１相３ａに設置されたＬ１相第二センサ９３１には、Ｌ１相信号側ライン６１と、Ｌ１相基準電位側ライン６２と、が設けられる。Ｌ１相信号側ライン６１は、Ｌ１相中継ライン６１ａを中途部に介在させて、一側（上流側）端部がＬ１相第二センサ９３１に、他側（下流側）端部が蓄電装置４に、それぞれ接続される。また、Ｌ１相基準電位側ライン６２は、Ｌ１相中継ライン６２ａを中途部に介在させて、一側（上流側）端部がＬ１相第二センサ９３１に、他側（下流側）端部が蓄電装置４に、それぞれ接続される。
【００７３】
また、Ｌ２相３ｂに設置されたＬ２相第二センサ９３２には、Ｌ２相信号側ライン６３と、Ｌ２相基準電位側ライン６４と、が設けられる。Ｌ２相信号側ライン６３は、Ｌ２相中継ライン６３ａを中途部に介在させて、一側（上流側）端部がＬ２相第二センサ９３２に、他側（下流側）端部が蓄電装置４に、それぞれ接続される。また、Ｌ２相基準電位側ライン６４は、Ｌ２相中継ライン６４ａを中途部に介在させて、一側（上流側）端部がＬ２相第二センサ９３２に、他側（下流側）端部が蓄電装置４に、それぞれ接続される。
【００７４】
このような構成により、蓄電装置４は、第二センサ部９３０のＬ１相第二センサ９３１及びＬ２相第二センサ９３２からの電力に関する情報に基づいて、これらの設置箇所の（正しい）電力を認識することができる。
【００７５】
ここで、図５（ｂ）は、第二センサ部９３０が誤って接続された状況（誤配線）を示した模式図である。より詳細には、図５（ａ）に示す正しく接続された状況（誤配線ではない）と異なり、Ｌ１相信号側ライン６１の一側（上流側）とＬ２相基準電位側ライン６４の他側（下流側）とが、Ｌ１相中継ライン６１ａを中途部に介在させて接続される。また、Ｌ２相基準電位側ライン６４の一側（上流側）とＬ１相信号側ライン６１の他側（下流側）とが、Ｌ２相中継ライン６４ａを中途部に介在させて接続される。このような誤配線は、例えば施工業者がＬ１相中継ライン６１ａとＬ２相中継ライン６４ａとを取り違えて接続することにより生じるものである。
【００７６】
このような誤配線になった場合、蓄電装置４は、第二センサ部９３０のＬ１相第二センサ９３１及びＬ２相第二センサ９３２からの電力に関する情報に基づいて、これらの設置箇所の（正しい）電力を認識することができない。（第二センサ部９３０のＬ１相第二センサ９３１及びＬ２相第二センサ９３２の検出結果が誤っている。）
【００７７】
すなわち、第二センサ部９３０が正しく接続された状況であれば、例えばＬ１相３ａが０Ｗ（無負荷）であり、Ｌ２相３ｂが１５００Ｗであると、蓄電装置４が認識するはずの場合に、Ｌ１相３ａが１５００Ｗであり、Ｌ２相３ｂが０Ｗ（無負荷）であると、（すなわち、Ｌ１相第二センサ９３１及びＬ２相第二センサ９３２からの電力に関する情報を取り違えて）蓄電装置４が認識することとなる。このような場合、蓄電装置４は、Ｌ１相３ａにおいて負荷の消費電力に１５００Ｗの電力を供給することができると認識し、当該Ｌ１相３ａに１５００Ｗの電力を放電して流通させる。しかしながら、実際は、Ｌ１相３ａは０Ｗ（無負荷）であるため、蓄電装置４から放電された電力が逆潮流することとなる。
【００７８】
このように、電力供給システム９０１の電力情報取得手段９１０の構成においては、第二センサ部９３０が誤って接続された状況（誤配線）になった場合に、燃料電池６で発電された電力や蓄電装置４から放電された電力が商用電源１００に逆潮流して、売電が行われる可能性が有る点で問題であった。
【００７９】
以下では、前述したような問題点を解決するための、本実施形態に係る電力情報取得手段１０（各センサ部）の構成について、図１を用いて詳細に説明する。
【００８０】
なお、電力情報取得手段１０においては、後述するように、第二センサ部３０のＬ１相第二センサ３１及びＬ２相第二センサ３２が、前述した電力供給システム９０１における第二センサ部９３０のＬ１相第二センサ９３１及びＬ２相第二センサ９３２と同一の箇所に設置される。すなわち、電力情報取得手段１０においては、第二センサ部３０が誤配線になった場合（図５（ｂ）参照）であっても、燃料電池６で発電された電力や蓄電装置４から放電された電力が逆潮流しないように構成される。
【００８１】
第一センサ部２０は、第一電力経路３において、商用電源１００と太陽光発電部８（より詳細には、第一電力経路３と第四電力経路９との接続部）との間に設置される。第一センサ部２０は、Ｌ１相第一センサ２１と、Ｌ２相第一センサ２２と、により構成される。Ｌ１相第一センサ２１は、第一電力経路３のＬ１相３ａに設置される。Ｌ２相第一センサ２２は、第一電力経路３のＬ２相３ｂに設置される。こうして、Ｌ１相第一センサ２１は、Ｌ１相３ａにおいて当該Ｌ１相第一センサ２１の設置箇所の電力に関する情報を取得する。また、Ｌ２相第一センサ２２は、Ｌ２相３ｂにおいて当該Ｌ２相第一センサ２２の設置箇所の電力に関する情報を取得する。
【００８２】
また、第一センサ部２０のＬ１相第一センサ２１及びＬ２相第一センサ２２は、それぞれ設置箇所のＬ１相３ａ又はＬ２相３ｂのいずれか一方でも電力がマイナスの値である場合に、接点信号（蓄電装置４の運転を停止させるための信号）を蓄電装置４に出力可能に構成される。なお、このような構成は、前述した電力供給システム９０１のＬ１相第二センサ９３１及びＬ２相第二センサ９３２には備えられていない。
【００８３】
第二センサ部３０は、第一電力経路３において、燃料電池６（より詳細には、第一電力経路３と第三電力経路７との接続部）と分電盤２との間に設置される。第二センサ部３０は、Ｌ１相第二センサ３１と、Ｌ２相第二センサ３２と、により構成される。Ｌ１相第二センサ３１は、第一電力経路３のＬ１相３ａに設置される。Ｌ２相第二センサ３２は、第一電力経路３のＬ２相３ｂに設置される。こうして、Ｌ１相第二センサ３１は、Ｌ１相３ａにおいて当該Ｌ１相第二センサ３１の設置箇所の電力に関する情報を取得する。また、Ｌ２相第二センサ３２は、Ｌ２相３ｂにおいて当該Ｌ２相第二センサ３２の設置箇所の電力に関する情報を取得する。
なお、第二センサ部３０の構成は、前述した電力供給システム９０１の第二センサ部９３０の構成と同一である。
【００８４】
第三センサ部４０は、第三電力経路７に設置される。第三センサ部４０は、Ｌ１相第三センサ４１により構成される。Ｌ１相第三センサ４１は、第三電力経路７の第三電路７ａに設置される。こうして、Ｌ１相第三センサ４１は、第三電路７ａにおいて当該Ｌ１相第三センサ４１の設置箇所の電力に関する情報を取得する。
【００８５】
なお、第三センサ部４０の構成は、前述した電力供給システム９０１の第三センサ部９４０の構成とは異なる。具体的には、第三センサ部９４０は、Ｌ１相第三センサ９４１及びＬ２相第三センサ９４２という２つのセンサを有するのに対して、第三センサ部４０は、Ｌ１相第三センサ４１という１つのセンサを有する。すなわち、第三センサ部９４０においては、第三電力経路７の第三電路７ａ及び第三電路７ｂのそれぞれの電力に関する情報を取得するのに対して、第三センサ部４０においては、第三電力経路７の第三電路７ａだけの電力に関する情報を取得する。
【００８６】
第四センサ部５０は、第四電力経路９に設置される。第四センサ部５０は、Ｌ２相第四センサ５２により構成される。Ｌ２相第四センサ５２は、第四電力経路９の第四電路９ｂに設置される。こうして、Ｌ２相第四センサ５２は、第四電路９ｂにおいて当該Ｌ２相第四センサ５２の設置箇所の電力に関する情報を取得する。
なお、第四センサ部５０は、前述した電力供給システム９０１には備えられていない。
【００８７】
このような構成により、蓄電装置４は、第一センサ部２０のＬ１相第一センサ２１からの電力に関する情報に基づいて、Ｌ１相３ａにおいて当該Ｌ１相第一センサ２１の設置箇所の電力を認識することができる。また、蓄電装置４は、第一センサ部２０のＬ２相第一センサ２２からの電力に関する情報に基づいて、Ｌ２相３ｂにおいて当該Ｌ２相第一センサ２２の設置箇所の電力を認識することができる。
【００８８】
また、蓄電装置４は、第二センサ部３０のＬ１相第二センサ３１からの電力に関する情報に基づいて、Ｌ１相３ａにおいて当該Ｌ１相第二センサ３１の設置箇所の電力を認識することができる。また、蓄電装置４は、第二センサ部３０のＬ２相第二センサ３２からの電力に関する情報に基づいて、Ｌ２相３ｂにおいて当該Ｌ２相第二センサ３２の設置箇所の電力を認識することができる。
また、蓄電装置４は、第一センサ部２０のＬ１相第一センサ２１及びＬ２相第一センサ２２から出力される接点信号に基づいて、Ｌ１相３ａ又はＬ２相３ｂの少なくとも一方で電力がマイナスの値であると（逆潮流していると）認識することができる。
【００８９】
また、蓄電装置４は、第三センサ部４０のＬ１相第三センサ４１からの電力に関する情報に基づいて、第三電力経路７の第三電路７ａにおいて当該Ｌ１相第三センサ４１の設置箇所の電力を認識することができる。なお、前述したように、燃料電池６で発電された電力は、第二電路５ａ及び第二電路５ｂに平均して流通されるものである。したがって、蓄電装置４は、第三電力経路７の第三電路７ａにおいて当該Ｌ１相第三センサ４１の設置箇所の電力を認識することにより、第三電路７ｂにおける電力を推測（認識）することができる。すなわち、蓄電装置４は、第三センサ部４０のＬ１相第三センサ４１からの電力に関する情報に基づいて、燃料電池６で発電された電力を推測（認識）することができる。
【００９０】
このように、第三センサ部４０においては、使用するセンサの数量を通常の２つから１つに減少させている。これによって、コストの削減を図ることができる。
【００９１】
また、蓄電装置４は、第四センサ部５０のＬ２相第四センサ５２からの電力に関する情報に基づいて、第四電力経路９の第四電路９ｂにおいて当該Ｌ２相第四センサ５２の設置箇所の電力を認識することができる。なお、前述したように、太陽光発電部８で発電された電力は、第四電路９ａ及び第四電路９ｂに平均して流通されるものである。したがって、蓄電装置４は、第四電力経路９の第四電路９ｂにおいて当該Ｌ２相第四センサ５２の設置箇所の電力を認識することにより、第四電路９ａにおける電力を推測（認識）することができる。すなわち、蓄電装置４は、第四センサ部５０のＬ２相第四センサ５２からの電力に関する情報に基づいて、太陽光発電部８で発電された電力を推測（認識）することができる。
【００９２】
このように、第四センサ部５０においては、使用するセンサの数量を通常の２つから１つに減少させている。これによって、コストの削減を図ることができる。
【００９３】
このような電力情報取得手段１０の構成においては、第二センサ部３０が誤って接続された状況（誤配線）になった場合（図５（ｂ）参照）であっても、蓄電装置４により燃料電池６で発電された電力や蓄電装置４から放電された電力が逆潮流しないこととすることができる。
【００９４】
以下では、第二センサ部３０が誤配線になった場合であっても、燃料電池６で発電された電力や蓄電装置４から放電された電力が逆潮流しないこととするための蓄電装置４の手段について説明する。
【００９５】
本実施形態において、前記蓄電装置４の手段は、２種類設けられる。以下では、当該２種類の蓄電装置４の手段を、第一逆潮流防止手段と、第二逆潮流防止手段と、それぞれ称する。
【００９６】
先ず、蓄電装置４の第一逆潮流防止手段について説明する。
【００９７】
第一逆潮流防止手段においては、蓄電装置４は、太陽光発電部８での発電の有無に応じて、第一センサ部２０のＬ１相第一センサ２１及びＬ２相第一センサ２２から出力される接点信号が有効であるか否かを設定する。
【００９８】
より詳細には、太陽光発電部８で発電が行われている場合、すなわち第四センサ部５０のＬ２相第四センサ５２からの電力に関する情報に基づいて、当該Ｌ２相第四センサ５２の設置箇所に電力が流通していると蓄電装置４が認識した場合には、蓄電装置４は接点信号が有効ではないと設定する。これによって、第一センサ部２０のＬ１相第一センサ２１及びＬ２相第一センサ２２から接点信号が蓄電装置４に入力された場合であっても、当該接点信号の入力に応じて蓄電装置４は運転を停止しないこととなる。
【００９９】
すなわち、太陽光発電部８で発電が行われている場合に、第一センサ部２０のＬ１相第一センサ２１及びＬ２相第一センサ２２の設定箇所を流通する電力がマイナスの値となると、太陽光発電部８で発電された電力が逆流通していることを示すものである。ここで、前述したように太陽光発電部８で発電した電力は、逆潮流させて売電することができるものである。また、第一センサ部２０のＬ１相第一センサ２１及びＬ２相第一センサ２２の設定箇所を流通する電力がプラスの値となると、商用電源１００から電力が供給されていることを示すものである。このように、太陽光発電部８で発電が行われている場合には、第一センサ部２０のＬ１相第一センサ２１及びＬ２相第一センサ２２の設定箇所を流通する電力の値がマイナスでもプラスでも問題とはならないため、蓄電装置４は接点信号が有効ではないと（無効であると）設定する。
【０１００】
これに対して、太陽光発電部８で発電が行われていない場合、すなわち第四センサ部５０のＬ２相第四センサ５２からの電力に関する情報に基づいて、当該Ｌ２相第四センサ５２の設置箇所に電力が流通していないと蓄電装置４が認識した場合には、蓄電装置４は接点信号が有効であると設定する。これによって、第一センサ部２０のＬ１相第一センサ２１及びＬ２相第一センサ２２から接点信号が蓄電装置４に入力された場合には、当該接点信号の入力に応じて蓄電装置４は運転を停止することとなる。
【０１０１】
すなわち、太陽光発電部８で発電が行われていない場合に、第一センサ部２０のＬ１相第一センサ２１及びＬ２相第一センサ２２の設定箇所を流通する電力がマイナスの値となると、燃料電池６で発電された電力や蓄電装置４から放電された電力が逆潮流していることを示すものである。このように、太陽光発電部８で発電が行われていない場合には、第一センサ部２０のＬ１相第一センサ２１及びＬ２相第一センサ２２の設定箇所を流通する電力の値がマイナスとなると問題となるため、蓄電装置４は接点信号が有効であると設定する。
【０１０２】
このような構成により、第二センサ部３０が誤配線になった場合、すなわち蓄電装置４がＬ１相第二センサ３１及びＬ２相第二センサ３２からの電力に関する情報を取り違え認識し、放電させた電力が逆潮流した場合であっても、第一センサ部２０のＬ１相第一センサ２１又はＬ２相第一センサ２２の少なくとも一方から接点信号が出力される。そして、当該接点信号が燃料電池６で発電された電力や蓄電装置４から放電された電力が逆潮流したことに基づくものであれば（すなわち、当該接点信号が太陽光発電部８で発電が行われていない場合に出力されたものであれば）、蓄電装置４は接点信号が有効であると設定する。こうして、蓄電装置４の第一逆潮流防止手段においては、誤配線になった場合であっても、燃料電池６で発電された電力や蓄電装置４から放電された電力が逆潮流しないこととすることができる。
【０１０３】
以下では、蓄電装置４の第二逆潮流防止手段について説明する。
【０１０４】
第二逆潮流防止手段においては、蓄電装置４は、電力を放電する前に、各センサ部から取得した当該各センサ部の設置箇所の電力に基づいて、第二センサ部３０が誤配線になっているか否かを判断する。そして、蓄電装置４は、第二センサ部３０が誤配線になっていると判断した場合には、運転を停止させる（電力の放電を開始しない）。
【０１０５】
より詳細には、Ｌ１相３ａ又はＬ２相３ｂの任意の一方において、第二センサ部３０により認識される電力と、その他のセンサ部（すなわち、第一センサ部２０、第三センサ部４０及び第四センサ部５０）により認識される電力を合計した電力（以下では、「合計電力」と称する。）との比較を行う。
ここで、蓄電装置４が電力を放電していない場合、第二センサ部３０により認識される電力は、商用電源１００、太陽光発電部８及び燃料電池６から第一電力経路３に供給された電力を合計した電力と等しくなるものである。すなわち、第二センサ部３０により認識される電力は、その他のセンサ部により認識される合計電力と等しくなるものである。
【０１０６】
これにより、蓄電装置４は、第二センサ部３０により認識される電力とその他のセンサ部により認識される合計電力との比較を行って、これらの電力が等しければ、当該第二センサ部３０が誤配線になっていないと判断することができる。また、蓄電装置４は、第二センサ部３０により認識される電力とその他のセンサ部により認識される合計電力との比較を行って、これらの電力が等しくなければ、当該第二センサ部３０が誤配線になっていると判断することができる。
【０１０７】
以下では、図２及び図３を用いて具体的な例を挙げて説明する。
なお、以下では、Ｌ１相３ａ及びＬ２相３ｂのうち、Ｌ１相３ａに供給される電力を取り上げて第二センサ部３０が誤配線になっているか否かを判断するものとする。
【０１０８】
図２に示す第一の例においては、蓄電装置４は、第一センサ部２０のＬ１相第一センサ２１により、Ｌ１相３ａにおける当該Ｌ１相第一センサ２１の設置箇所の電力が−（マイナス）１３５０Ｗであると認識している。また、蓄電装置４は、第一センサ部２０のＬ２相第一センサ２２により、Ｌ２相３ｂにおける当該Ｌ２相第一センサ２２の設置箇所の電力が１５０Ｗであると認識している。
また、蓄電装置４は、第三センサ部４０のＬ１相第三センサ４１により、第三電路７ａにおける当該Ｌ１相第三センサ４１の設置箇所の電力が３５０Ｗであると認識している。なお、蓄電装置４は、前述したように、Ｌ１相第三センサ４１の設置箇所の電力を認識することにより、第三電路７ｂにおける電力が３５０Ｗであると推測（認識）している。
また、蓄電装置４は、第四センサ部５０のＬ２相第四センサ５２により、第四電路９ｂにおける当該Ｌ２相第四センサ５２の設置箇所の電力が１０００Ｗであると認識している。なお、蓄電装置４は、前述したように、Ｌ２相第四センサ５２の設置箇所の電力を認識することにより、第四電路９ａにおける電力が１０００Ｗであると推測（認識）している。
【０１０９】
また、蓄電装置４は、第二センサ部３０のＬ１相第二センサ３１により、Ｌ１相３ａにおける当該Ｌ１相第二センサ３１の設置箇所の電力が０Ｗであると認識している。また、蓄電装置４は、第二センサ部３０のＬ２相第二センサ３２により、Ｌ２相３ｂにおける当該Ｌ２相第二センサ３２の設置箇所の電力が１５００Ｗであると認識している。
【０１１０】
そして、蓄電装置４は、その他のセンサ部（すなわち、第一センサ部２０、第三センサ部４０及び第四センサ部５０）の合計電力を求める。具体的には、蓄電装置４は、第一センサ部２０の−（マイナス）１３５０Ｗと、第三センサ部４０の３５０Ｗと、第四センサ部５０の１００Ｗとから、Ｌ１相３ａにおけるその他のセンサ部により認識される合計電力である０Ｗを導き出す。
【０１１１】
次に、蓄電装置４は、第二センサ部３０により認識される電力と、その他のセンサ部により認識される合計電力との比較を行う。ここで、Ｌ１相３ａにおいて第二センサ部３０のＬ１相第二センサ３１の設置箇所の電力は、０Ｗであると認識されている。すなわち、第二センサ部３０により認識される電力は、その他のセンサ部により認識される合計電力と等しい。こうして、蓄電装置４は、図２に示す第一の例においては、当該第二センサ部３０が誤配線になっていないと判断することができる。
【０１１２】
図３に示す第二の例においては、蓄電装置４は、第一センサ部２０のＬ１相第一センサ２１により、Ｌ１相３ａにおける当該Ｌ１相第一センサ２１の設置箇所の電力が−（マイナス）３５０Ｗであると認識している。また、蓄電装置４は、第一センサ部２０のＬ２相第一センサ２２により、Ｌ２相３ｂにおける当該Ｌ２相第一センサ２２の設置箇所の電力が１１５０Ｗであると認識している。
また、蓄電装置４は、第三センサ部４０のＬ１相第三センサ４１により、第三電路７ａにおける当該Ｌ１相第三センサ４１の設置箇所の電力が３５０Ｗであると認識している。なお、蓄電装置４は、前述したように、Ｌ１相第三センサ４１の設置箇所の電力を認識することにより、第三電路７ｂにおける電力が３５０Ｗであると推測（認識）している。
また、蓄電装置４は、第四センサ部５０のＬ２相第四センサ５２により、第四電路９ｂにおける当該Ｌ２相第四センサ５２の設置箇所の電力が０Ｗであると認識している。なお、蓄電装置４は、前述したように、Ｌ２相第四センサ５２の設置箇所の電力を認識することにより、第四電路９ａにおける電力が０Ｗであると推測（認識）している。
【０１１３】
また、蓄電装置４は、第二センサ部３０のＬ１相第二センサ３１により、Ｌ１相３ａにおける当該Ｌ１相第二センサ３１の設置箇所の電力が１５００Ｗであると認識している。また、蓄電装置４は、第二センサ部３０のＬ２相第二センサ３２により、Ｌ２相３ｂにおける当該Ｌ２相第二センサ３２の設置箇所の電力が０Ｗであると認識している。
【０１１４】
そして、蓄電装置４は、その他のセンサ部（すなわち、第一センサ部２０、第三センサ部４０及び第四センサ部５０）の合計電力を求める。具体的には、蓄電装置４は、第一センサ部２０の−（マイナス）３５０Ｗと、第三センサ部４０の３５０Ｗと、第四センサ部５０の０Ｗとから、Ｌ１相３ａにおけるその他のセンサ部により認識される合計電力として０Ｗを導き出す。
【０１１５】
次に、蓄電装置４は、第二センサ部３０により認識される電力と、その他のセンサ部により認識される合計電力との比較を行う。ここで、Ｌ１相３ａにおいて第二センサ部３０のＬ１相第二センサ３１の設置箇所の電力は、１５００Ｗであると認識されている。すなわち、第二センサ部３０により認識される電力は、その他のセンサ部により認識される合計電力と等しくない。こうして、蓄電装置４は、図３に示す第二の例においては、当該第二センサ部３０が誤配線になっていると判断することができる。
【０１１６】
また、蓄電装置４は、第二センサ部３０が誤配線になっていると判断した場合には、運転を停止させる（電力の放電を開始しない）ように設定される。すなわち、本来であれば、Ｌ１相３ａにおいて第二センサ部３０のＬ１相第二センサ３１の設置箇所の電力が１５００Ｗであると認識するため、蓄電装置４は負荷追従運転により１５００Ｗの電力を放電してＬ１相３ａに流通させるものである。しかし、図３に示す第二の例においては、Ｌ１相３ａにおけるその他のセンサ部により認識される合計電力は０Ｗであるため、蓄電装置４が１５００Ｗの電力を放電してＬ１相３ａに流通させた場合には、当該電力が商用電源１００に逆潮流することとなる。しかしながら、本実施形態においては、第二逆潮流防止手段により蓄電装置４は、運転を停止させる（電力の放電を開始しない）ものである。すなわち、第二センサ部３０が誤配線になった場合であっても、蓄電装置４により燃料電池６で発電された電力や蓄電装置４から放電された電力が逆潮流しないこととすることができる。
【０１１７】
なお、通常、各センサ部によりに認識される電力は、誤差を有するものである。したがって、第二センサ部３０により認識される電力と、その他のセンサ部により認識される合計電力との比較を行う場合に、誤差の範囲であれば「等しい」と判断するように設定することができる。なお、誤差の範囲は、任意に設定することができる。
【０１１８】
以上のように、本発明の一実施形態に係る電力供給システム１は、
商用電源１００と接続される分電盤２と、
前記分電盤２よりも上流側に配置され、発電した電力を当該分電盤２に供給する複数の発電手段（太陽光発電部８及び燃料電池６）と、
前記複数の発電手段よりも上流側に配置されて電力を検出する第一センサ部２０（第一電力検出手段）と、
前記分電盤２よりも上流側であって、前記複数の発電手段よりも下流側に配置されて電力を検出する第二センサ部３０（第二電力検出手段）と、
前記複数の発電手段で発電された電力をそれぞれ検出する第三センサ部４０及び第四センサ部５０（第三電力検出手段）と、
前記第一、第二及び第三電力検出手段の検出結果を取得可能であって、当該第二電力検出手段の検出結果が誤っているかを判断する蓄電装置４（誤検出判断手段）と、
を具備する電力供給システムであって、
前記蓄電装置４（誤検出判断手段）は、
前記第一センサ部２０（第一電力検出手段）の検出結果と前記第三センサ部４０及び第四センサ部５０（第三電力検出手段）の検出結果とを合計した電力と、前記第二センサ部３０（第二電力検出手段）の検出結果の電力と、が異なる場合に、当該第二センサ部３０（第二電力検出手段）の検出結果が誤っていると判断するものである。
【０１１９】
このような構成により、第二センサ部３０の検出結果が誤っている場合に、当該検出結果が誤っていることを認識することができる。
【０１２０】
また、電力供給システム１においては、
前記分電盤２よりも下流側に配置され、前記第二センサ部３０（第二電力検出手段）の検出結果に応じて、放電した電力を当該分電盤２に供給する蓄電装置４を具備し、
前記第二センサ部３０（第二電力検出手段）の検出結果が誤っていると判断した場合に、前記蓄電装置４の放電を停止させるものである。
【０１２１】
このような構成により、意図しない場合に蓄電装置４が放電することを防止することができる。すなわち、燃料電池６で発電された電力や蓄電装置４から放電された電力が逆潮流しないこととすることができる。
【０１２２】
また、電力供給システム１においては、
前記商用電源１００と前記分電盤２とは、単相三線式の第一電力経路３（主幹経路）を介して接続され、
前記複数の発電部（太陽光発電部８及び燃料電池６）は、前記第一電力経路３（主幹経路）のＬ１相３ａ及びＬ２相３ｂ（一対の片相）にそれぞれ接続される第三電路７ａ及び第三電路７ｂ、第四電路９ａ及び第四電路９ｂ（一対の電路）に、発電した電力を平均的に流通させ、
前記第三センサ部４０及び第四センサ部５０（第三電力検出手段）は、前記第三電路７ａ及び第三電路７ｂ、第四電路９ａ及び第四電路９ｂ（一対の電路）のいずれか一方の電路だけに配置されて電力を検出するＬ１相第三センサ４１及びＬ２相第四センサ５２（検出具）により構成されるものである。
【０１２３】
このような構成により、センサ（検出具）の数量を減少させ、コストの削減を図ることができる。
【０１２４】
また、電力供給システム１においては、
前記複数の発電手段には、燃料電池６（他の発電手段）よりも上流側に配置され、自然エネルギーを利用して発電可能な太陽光発電部８（発電部）が含まれ、
前記第一センサ部２０（第一電力検出手段）は、前記商用電源１００への逆潮流を検出すると前記蓄電装置４の放電を停止させるための接点信号を前記蓄電装置４に出力可能であり、
前記太陽光発電部８（発電部）が発電している場合には、前記蓄電装置４に出力された接点信号が無効であると設定し、
前記太陽光発電部８（発電部）が発電していない場合には、前記蓄電装置４に出力された接点信号が有効であると設定するものである。
【０１２５】
このような構成により、意図しない場合に蓄電装置４が放電することを、より確実に防止することができる。すなわち、より確実に燃料電池６で発電された電力や蓄電装置４から放電された電力が逆潮流しないこととすることができる。
【０１２６】
なお、本実施形態において、電力供給システム１は住宅に設けられる構成としたが、この構成に限定するものではない。例えば、電力供給システム１は、事務所や公共施設等の建物に設けられる構成としてもよい。
【０１２７】
また、本実施形態において、自然エネルギーとして太陽光を利用する構成（本発明に係る「発電部」として太陽光発電部８を具備する構成）としてが、これに限定するものではない。利用する自然エネルギーは、例えば水力、風力、潮力等であってもよい。
【０１２８】
また、本実施形態において、燃料電池６の最大発電量は７００Ｗとなるように設定される構成としたが、これに限定するものではない。例えば、燃料電池６の最大発電量は７５０Ｗ等でもよく、任意の発電量に設定可能な構成としてもよい。
【０１２９】
また、本実施形態において、太陽光発電部８及び燃料電池６は、本発明に係る「複数の発電手段」の一例である。本発明に係る「複数の発電手段」は、２つに限定するものではなく、３つや、４つ設けられる構成であってもよい。
【０１３０】
また、本実施形態において、第二センサ部３０のＬ１相第二センサ９３１及びＬ２相第二センサ９３２からの電力に関する情報を取り違えたことは、本発明に係る「第二電力検出手段の検出結果が誤っている」ことの一実施形態である。本発明に係る「第二電力検出手段の検出結果が誤っている」ことは、これに限定するものではない。
【符号の説明】
【０１３１】
１      電力供給システム
２      分電盤
４      蓄電装置
６      燃料電池
８      太陽光発電部
２０    第一センサ部
３０    第二センサ部
４０    第三センサ部
５０    第四センサ部
１００  商用電源
【図１】
2015100212.tif 000003
【図２】
2015100212.tif 000004
【図３】
2015100212.tif 000005
【図４】
2015100212.tif 000006
【図５】
2015100212.tif 000007